【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
無線通信部を介しての無線通信機能と、表示部を介してのデータ閲覧表示機能と、を含む各機能の動作が可能であって、当該無線通信部や表示部を含む各部への電源を供給する電源供給手段を備えた無線通信端末であって、
低電圧時での前記各部での電力消費を抑制して長寿命化を図るモードがオン設定になっているかオフ設定になっているかを判別するモード設定判別手段と、
前記電源供給手段の電圧値が、当該端末内での各部で正常に動作しなくなる終止電圧よりも高い電圧であって、前記各部での動作を保障する最低動作電圧である出力保障電圧を下回ったか否かを判定する電圧判定手段と、
前記モード設定判別手段で前記モードがオン設定になっていると判別され、且つ前記電圧判定手段により前記出力保障電圧を下回ったと判定された場合には、前記表示部へのデータ閲覧表示機能を動作させるための処理部への電源供給を保持したまま、前記無線通信部への電源供給を停止する低電圧動作モードへ移行するモード移行手段と、を備え、
前記低電圧動作モードへの移行に際しては、当該低電圧動作モードへ移行することを前記表示部を介して報知すると共に、当該報知後にあっても当該端末が前記低電圧動作モードにあることを前記表示部の一部においてモード表示する、ことを特徴とする無線通信端末。
【請求項２】
前記表示部への照明を行う照明部と、ライトやスピーカでの報知を行う報知部と、を更に備え、
前記低電圧動作モードでは、当該照明部と報知部とへの電源供給も停止する、ようにしたことを特徴とする請求項１記載の無線通信端末。
【請求項３】
前記モード移行手段による低電圧動作モードへの移行に先だって、当該低電圧動作モードへ移行するか否かの確認メッセージを前記表示部において確認表示し、当該低電圧動作モードへ移行することの選択がユーザにより行われたか否かを判別する選択判別手段、を更に備え、
前記低電圧動作モードに移行することの選択が行われた際に、当該低電圧動作モードへ移行する、ようにしたことを特徴とする請求項１記載の無線通信端末。
【請求項４】
アラーム設定時刻でのアラーム報知を行うことのアラーム設定の有無を判別するアラーム設定判別手段、を更に備え、
前記モード移行手段による低電圧動作モードへの移行時に、前記アラーム設定有りと判別された際は、当該アラーム設定での設定時刻に先立って当該アラーム設定があることを前記表示部で表示する、ようにしたことを特徴とする請求項１記載の無線通信端末。
【請求項５】
無線通信部を介しての無線通信機能と、表示部を介してのデータ閲覧表示機能と、を含む各機能の動作が可能であって、当該無線通信部や表示部を含む各部への電源を供給する電源供給手段を備えた無線通信端末の動作制御方法であって、
低電圧時での前記各部での電力消費を抑制して長寿命化を図るモードがオン設定になっているかオフ設定になっているかを判別する判別ステップと、
前記電源供給手段の電圧値が、当該端末内での各部で正常に動作しなくなる終止電圧よりも高い電圧であって、前記各部での動作を保障する最低動作電圧である出力保障電圧を下回ったか否かを判定する判定ステップと、
前記判別ステップで前記モードがオン設定になっていると判別され、且つ前記判定ステップにより前記出力保障電圧を下回ったと判定された場合には、前記表示部へのデータ閲覧表示機能を動作させるための処理部への電源供給を保持したまま、前記無線通信部への電源供給を停止する低電圧動作モードへ移行する移行ステップと、
前記低電圧動作モードへの移行に際しては、当該低電圧動作モードへ移行することを前記表示部を介して報知すると共に、当該報知後にあっても当該端末が前記低電圧動作モードにあることを前記表示部の一部においてモード表示する表示ステップと、
からなることを特徴とする動作制御方法。
【請求項６】
無線通信部を介しての無線通信機能と、表示部を介してのデータ閲覧表示機能と、を含む各機能の動作が可能であって、当該無線通信部や表示部を含む各部への電源を供給する電源供給手段を備えたコンピュータに、
低電圧時での前記各部での電力消費を抑制して長寿命化を図るモードがオン設定になっているかオフ設定になっているかを判別する機能と、
前記電源供給手段の電圧値が、当該端末内での各部で正常に動作しなくなる終止電圧よりも高い電圧であって、前記各部での動作を保障する最低動作電圧である出力保障電圧を下回ったか否かを判定する機能と、
前記モードがオン設定になっていると判別され、且つ前記出力保障電圧を下回ったと判定された場合には、前記表示部へのデータ閲覧表示機能を動作させるための処理部への電源供給を保持したまま、前記無線通信部への電源供給を停止する低電圧動作モードへ移行する機能と、
前記低電圧動作モードへの移行に際しては、当該低電圧動作モードへ移行することを前記表示部で報知すると共に、当該報知後にあっても当該端末が前記低電圧動作モードにあることを前記表示部の一部においてモード表示する機能と、
を実現させるためのプログラム。
【手続補正２】
【補正対象書類名】明細書
【補正対象項目名】発明の名称
【補正方法】変更
【補正の内容】
【発明の名称】無線通信端末、動作制御方法、及びプログラム
【手続補正３】
【補正対象書類名】明細書
【補正対象項目名】０００１
【補正方法】変更
【補正の内容】
【０００１】
本発明は、携帯電話機に代表される無線通信端末、動作制御方法、及びプログラムに関する。
【手続補正４】
【補正対象書類名】明細書
【補正対象項目名】０００４
【補正方法】変更
【補正の内容】
【０００４】
そこで、本発明の課題は、ステレオスピーカを搭載した携帯情報端末（無線通信端末）においても、通信不可能な状態に至る前にユーザにその旨を通知することができる無線通信端末、動作制御方法、及びプログラムを提供することである。
【手続補正５】
【補正対象書類名】明細書
【補正対象項目名】０００５
【補正方法】変更
【補正の内容】
【０００５】
この発明は、無線通信部を介しての無線通信機能と、表示部を介してのデータ閲覧表示機能と、を含む各機能の動作が可能であって、当該無線通信部や表示部を含む各部への電源を供給する電源供給手段を備えた無線通信端末であって、低電圧時での前記各部での電力消費を抑制して長寿命化を図るモードがオン設定になっているかオフ設定になっているかを判別するモード設定判別手段と、前記電源供給手段の電圧値が、当該端末内での各部で正常に動作しなくなる終止電圧よりも高い電圧であって、前記各部での動作を保障する最低動作電圧である出力保障電圧を下回ったか否かを判定する電圧判定手段と、前記モード設定判別手段で前記モードがオン設定になっていると判別され、且つ前記電圧判定手段により前記出力保障電圧を下回ったと判定された場合には、前記表示部へのデータ閲覧表示機能を動作させるための処理部への電源供給を保持したまま、前記無線通信部への電源供給を停止する低電圧動作モードへ移行するモード移行手段と、を備え、前記低電圧動作モードへの移行に際しては、当該低電圧動作モードへ移行することを前記表示部を介して報知すると共に、当該報知後にあっても当該端末が前記低電圧動作モードにあることを前記表示部の一部においてモード表示する、ことを特徴としている。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】変更
【補正の内容】
【００１４】
本発明によれば、無線通信端末の電源の電圧値の低下時での低電圧動作モードへの移行の有無を予め決めておくことができ、電圧低下時にあっては、無線通信機能を停止させることによる長寿命化を図るのか、無線通信機能を優先させるのか、を直ちに制御することができる。
【手続補正１５】
【補正対象書類名】明細書
【補正対象項目名】００６５
【補正方法】変更
【補正の内容】
【００６５】
【図１】折畳み式携帯電話機の開いた状態を示す図であり、（ａ）平面図、（ｂ）底面部である。
【図２】折畳み式携帯電話機の主要部構成を示す図である。
【図３】本実施形態の折畳み式携帯電話機において設定される、レベル及びそれに伴う制御動作を示す表である。
【図４】本実施形態の折畳み式携帯電話における、電池電圧分布を示す図である。
【図５】本実施形態の折畳み式携帯電話において、低電圧動作モードへ移行される時に実行される処理を示すフローチャートである。
【図６】本実施形態の折畳み式携帯電話機において、低電圧動作モードへ移行された後実行される処理を示すフローチャートである。
【図７】本実施形態の折畳み式携帯電話機において、強制的に低電圧動作モードへ移行される場合に表示される表示画面の一例を示す図である。
【図８】第１変形例に係る携帯電話機において実行される処理を示すフローチャートである。
【図９】第１変形例に係る携帯電話機において、低電圧動作モードへ移行される場合に表示される表示画面の一例を示す図である。
【図１０】第２変形例に係る携帯電話機において実行される処理を示すフローチャートである。
【図１１】第２変形例に係る携帯電話機において、低電圧動作モードへ移行される場合に表示される表示画面の一例を示す図である。
【手続補正１６】
【補正対象書類名】明細書
【補正対象項目名】００６６
【補正方法】変更
【補正の内容】
【００６６】
１  通信用スピーカ
２  メイン表示部
３  キー入力部
４  マイク
５  サブ表示部
６  カメラレンズ部
７  充電池
８、９  ステレオスピーカ
１０  着信報知用ＬＥＤ
１１  アンテナ
１２  無線処理部
１３  制御部
１４  記憶部
１５  音声処理部
１６  ドライバ制御部
１７、２１  ドライバ
１８  ＣＣＤ
１９  撮像処理部
２０  音源ＲＯＭ
２２  スピーカ
２３  電圧監視部
２４  電圧供給制御回路
１０１  蓋部
１０２  本体部
１３１  設定テーブル
１６１  ＬＥＤ
１６２  ＬＥＤ
１６３  ＬＥＤ
２１５  レベル表示
２１６  低電圧動作モード表示